(57)【要約】【課題】１枚の紙製シートからなり、組立が容易で、複数の飲料用ボトルを安定した状態で確実に支持できる飲料用ボトルの運搬器具を提供する。【課題の解決手段】運搬器具１は、複数の飲料用ボトル１００の底面を支持する底面支持部と、この底面支持部から対向するように立ち上がって各飲料用ボトル１００の側面を支持する側面支持孔２１ａ，２２ａを有する一対の側面支持部１４ａと、これらの側面支持部１４ａに連接されて、底面支持部とほぼ平行になるよう互いに折り重ねられた一対の天面部と、これら天面部の一方に連接した止め付け部１８とを備え、側面支持孔２１ａ，２２ａの隣接する一側縁から延びて各飲料用ボトル１００の側面に当接する仕切り片を設け、側面支持部１４ａの側面支持孔２１ａ，２２ａよりも天面部側に指掛け孔３２を設け、止め付け部１８の天面部とは反対側には、指掛け孔３２に係止する係止片を連接してなる。【選択図】図２
0003205210.tif 000002
【実用新案登録請求の範囲】
【請求項１】
一枚の紙製シートからなり、複数の飲料用ボトルの底面を支持する底面支持部と、この底面支持部にそれぞれ折り部を介して連接され、前記底面支持部から対向するように立ち上がって前記各飲料用ボトルの側面を支持する一対の側面支持部と、これらの各側面支持部の前記底面支持部とは反対側にそれぞれ折り部を介して連接され、前記底面支持部とほぼ平行になるよう互いに折り重ねられた一対の天面部と、上に折り重ねられた天面部の前記側面支持部とは反対側に折り部を介して連接した止め付け部とを備え、前記各側面支持部には、前記支持する飲料用ボトルと同数の側面支持孔を前記底面支持部端から前記天面部に向けて設けるとともに、これら側面支持孔の隣接する一側縁からそれぞれ折り部を介して対向する側面支持部に向けて延びて、前記支持する各飲料用ボトルの側面に当接する二対の仕切り片を設け、少なくとも前記止め付け部を設けていない側の側面支持部における前記各側面支持孔よりも天面部側には、指掛け孔を設け、前記止め付け部の天面部とは反対側には、前記指掛け孔に係止する係止片を折り部を介して連接してなることを特徴とする飲料用ボトルの運搬器具。
【請求項２】
前記底面支持部の前記各側面支持孔に対応する部分に、円弧状に突出する突出部を設けたことを特徴とする請求項１に記載の飲料用ボトルの運搬器具。
【請求項３】
前記指掛け孔を設けた側面支持部には、前記指掛け孔から前記各側面支持孔にそれぞれ達する切り用ミシン線を設けたことを特徴とする請求項１または請求項２に記載の飲料用ボトルの運搬器具。
【請求項４】
下に折り重ねられた天面部は、前記支持する各飲料用ボトルに設けた蓋体上面と接合することを特徴とする請求項１ないし３のいずれか１項に記載の飲料用ボトルの運搬器具。
【考案の詳細な説明】
【技術分野】
【０００１】
本考案は、複数個の飲料用ボトルを運搬する運搬器具に関する。
【背景技術】
【０００２】
従来から、この種の運搬器具としては様々な構成のものが知られているが、その中に、一枚の紙製シートを折り曲げて形成してなる運搬器具がある。
【０００３】
例えば、板紙からなるブランク板のほぼ中央部に適当間隔を置いて短方向へ平行な二つの折り目を設け、その外側が折り目線を介して連設され、各連設された長手方向の両側に鰭状部を設け、鰭状部を内側に折り曲げて所定箇所を接着してなる構成が知られている（特許文献１参照）。また、例えば、厚紙からなるブランクの中央に折り目線を介して上端縁が連接された台形状の一対の中央起立板を設け、これら中央起立板にそれぞれ折り目線を介して底面板を設け、これら底面板の中央起立板とは反対側にそれぞれ折り目線を介して外側起立板を設けてなり、前記各折り目線で折り曲げて形成した運搬容器に、複数の飲料用ボトルを収容した後、筒状の熱収縮性フィルムを被せて熱収縮させることで、前記運搬容器に前記飲料用ボトルを支持した構成が知られている（特許文献２参照）。
【先行技術文献】
【特許文献】
【０００４】
【特許文献１】特開２００３―３００５５４号公報
【特許文献２】特開２０１１―１１６４３２号公報
【考案の概要】
【考案が解決しようとする課題】
【０００５】
しかし、これら従来の一枚の紙製シートを折り曲げて形成してなる運搬器具は、所定箇所を接着しなければ構成できなかったり、筒状の熱収縮性フィルムを被せて熱収縮させたりしなければ飲料用ボトルを支持できないものなので、運搬器具を形成するための組立や組立後の加工が煩雑であるいう不都合があった。
本考案は、これらの問題を解決した飲料用ボトルの運搬器具を提供することを目的とする。
【課題を解決するための手段】
【０００６】
この目的を達成するため本考案の請求項１に係る飲料用ボトルの運搬器具は、一枚の紙製シートからなり、複数の飲料用ボトルの底面を支持する底面支持部と、この底面支持部にそれぞれ折り部を介して連接され、前記底面支持部から対向するように立ち上がって前記各飲料用ボトルの側面を支持する一対の側面支持部と、これらの各側面支持部の前記底面支持部とは反対側にそれぞれ折り部を介して連接され、前記底面支持部とほぼ平行になるよう互いに折り重ねられた一対の天面部と、上に折り重ねられた天面部の前記側面支持部とは反対側に折り部を介して連接した止め付け部とを備え、前記各側面支持部には、前記支持する飲料用ボトルと同数の側面支持孔を前記底面支持部端から前記天面部に向けて設けるとともに、これら側面支持孔の隣接する一側縁からそれぞれ折り部を介して対向する側面支持部に向けて延びて、前記支持する各飲料用ボトルの側面に当接する二対の仕切り片を設け、少なくとも前記止め付け部を設けていない側の側面支持部における前記各側面支持孔よりも天面部側には、指掛け孔を設け、前記止め付け部の天面部とは反対側には、前記指掛け孔に係止する係止片を折り部を介して連接したものである。
【０００７】
また、本考案の請求項２に係る飲料用ボトルの運搬器具は、前記請求項１の構成において、前記底面支持部の前記各側面支持孔に対応する部分に、円弧状に突出する突出部を設けたものである。
【０００８】
さらに、本考案の請求項３に係る飲料用ボトルの運搬器具は、前記請求項１または請求項２の構成において、前記指掛け孔を設けた側面支持部には、前記指掛け孔から前記各側面支持孔にそれぞれ達する切り用ミシン線を設けたものである。
【０００９】
またさらに、本考案の請求項４に係る飲料用ボトルの運搬器具は、前記請求項１ないし３のいずれかの構成において、下に折り重ねられた天面部は、前記支持する各飲料用ボトルに設けた蓋体上面と接合するものである。
【考案の効果】
【００１０】
本考案の請求項１に係る飲料用ボトルの運搬器具によれば、一枚の紙製シートに設けた各折り部で折り曲げて、指掛け孔に係止片を係止することで、飲料用ボトルの運搬器具を組み立てることができるので、組立が容易であるとともに、仕切り片によって十分な強度を維持できるほか、飲料用ボトルの底面及び側面を支持するので、安定した状態で、確実に飲料用ボトルを支持でき、運搬も容易であるという効果を奏する。
【００１１】
また、本考案の請求項２に係る飲料用ボトルの運搬器具によれば、前記請求項１考案の効果に加えて、円弧状に突出する突出部によって、飲料用ボトルの底面の支持をより安定、かつ確実になし得るという効果を奏する。
【００１２】
さらに、本考案の請求項３に係る飲料用ボトルの運搬器具によれば、前記請求項１考案または請求項２考案の効果に加えて、切り用ミシン目を破断して一方の側面を大きく開口できるので、支持した飲料用ボトルの取り出しが容易になるという効果を奏する。
【００１３】
またさらに、本考案の請求項４に係る飲料用ボトルの運搬器具によれば、前記請求項１考案ないし請求項３考案のいずれかの効果に加えて、下に折り重ねられた天面部が、支持する各飲料用ボトルの蓋体上面と接合することにより、各飲料用ボトルを底面、側面、上面で支持するので、支持状態が極めて安定、かつ確実となるという効果を奏する。
【図面の簡単な説明】
【００１４】
【図１】本考案の一実施形態における展開状態の裏面側を示す平面図。
【図２】同じく組み立てて飲料用ボトルを支持した状態を示す正面図。
【図３】同じく背面側を示す斜視図。
【図４】同じく切り取りミシン目の破断状態を示す正面図。
【考案を実施するための形態】
【００１５】
以下、本考案の好適な一実施形態を添付図面に基づいて詳細に説明する。
図２〜図４に示す飲料用ボトル１００の運搬器具１は、図１に示す、両面をポリピロピレンで被覆加工された一枚の紙製シート１１を折り曲げて形成されている。なお、図１は紙製シート１１の裏面側（反表出面側）を示している。
【００１６】
図１に示すように、紙製シート１１の長手方向ほぼ中央には、２個の飲料用ボトル１００の底面を支持する底面支持部１２を設け、この底面支持部１２の両側に、それぞれ折り線１３ａ，１３ｂを介して連接した前記各飲料用ボトル１００の側面を支持する一対の側面支持部１４ａ，１４ｂを設けている。
【００１７】
これらの側面支持部１４ａ，１４ｂの底面支持部１２とは反対側に、それぞれ折り線１５ａ，１５ｂ部を介して連接した一対の天面部１６ａ，１６ｂを設け、一方の天面部１６ｂには折り線１７を介して連接した止め付け部１８を設けている。
【００１８】
また、各側面支持部１４ａ，１４ｂには、それぞれ２個の側面支持孔２１ａ，２２ａ及び２１ｂ，２２ｂを底面支持部１２端から天面部１６ａ，１６ｂに向けて延びるように設けている。前記各側面支持孔２１ａ，２２ａは飲料用ボトル１００の肩部に対応する位置まで設け、前記各側面支持孔２１ｂ，２２ｂは飲料用ボトル１００の頭部に対応する位置まで設けている。そして、これら各側面支持孔２１ａ，２２ａ及び２１ｂ，２１２ｂの隣接する一側縁からそれぞれ折り線２３ａ，２４ａ及び２３ｂ，２４ｂを介して延びる二対の仕切り片２５ａ，２６ａ及び２５ｂ，２６ｂを設けている。
【００１９】
さらに、底面支持部１２の各側面支持孔２１ａ，２２ａ及び２１ｂ，２２ｂに対応する部分には、前記各側面支持孔２１ａ，２２ａ及び２１ｂ，２２ｂ側に円弧状に突出する突出部２７ａ，２８ａ及び２７ｂ，２８ｂを設けている。
【００２０】
止め付け部１８を設けていない側の側面支持部１４ａにおける各側面支持孔２１ａ，２２ａよりも天面部１６ａ側には、切り込み２９と折り線３０で囲まれてなる折り込み片３１を形成し、この折り込み片３１を前記折り線３０で内側（反表出面側）に折り返すと、図２に示すように指掛け孔３２が形成される。そして、前記折り線３０の両端から前記各側面支持孔２１ａ，２２ａに達する切り用ミシン目３３，３４を設けている。また、止め付け部１８の天面部１６ｂとは反対側には、折り線１９を介して前記指掛け孔３２に挿入して係止する係止片２０を連接している。
【００２１】
なお、図示してはいないが、運搬器具１を組み立てたときに表出する紙製シート１１の表面側には、広告宣伝文や運搬器具１の使用方法などの適宜な情報を表示したり、装飾や広告宣伝用の写真や絵柄を表示することができる。
【００２２】
次に、上述した運搬器具１に支持して運搬する飲料用ボトル１００について説明する。図２〜図４に示すように、飲料用ボトル１００はガラス製で、従来公知のものである。この飲料用ボトル１００の肩部１０１から上は頭部となり、この頭部は、図示していない雄ネジに螺合する図示していない雌ネジを内周面に有する蓋体（不可視）を備えている。また、飲料用ボトル１００の側面には、図示してはいないが、商標を表示したラベルや、製造年月日を表示したラベルなど、複数のラベルが貼付され、これらラベルは、各側面支持孔２１ａ，２２ａ，２１ｂ，２２ｂから視認することができる。
【００２３】
続いて、上述した紙製シート１１から運搬器具１を組み立てて、飲料用ボトル１００を支持する手順について説明する。まず、図１状態において、紙製シート１１の裏面側（反表出面側）に向けて各折り線２３ａ，２４ａ，２３ｂ，２４ｂで各仕切り片２５ａ，２６ａ，２５ｂ，２６ｂを折り返した後、同方向に各折り線１３ａ，１３ｂで各側面支持部１４ａ，１４ｂを折り返して、底面支持部１２から前記各側面支持部１４ａ，１４ｂが立ち上がって対向する状態にする。
【００２４】
この状態において、各側面支持孔２１ａ，２２ａ，２１ｂ，２２ｂが全面開口するとともに、前記側面支持孔２１ａと前記側面支持孔２１ｂが対向位置し、前記側面支持孔２２ａと前記側面支持孔２２ｂが対向位置する。そして、各対向する側面支持孔２１ａと２１ｂ及び２２ａと２２ｂに対応する各仕切り片２５ａと２５ｂ及び２６ａと２６ｂは、部分的に重なり合って底面支持部１２の上方空間を二つの部分に仕切る。
【００２５】
次に、２個の飲料用ボトル１００を底面支持部１２の各突出部２７ａ，２７ｂ，２８ａ，２８ｂが形成された部分にそれぞれ載置する。すると、各飲料用ボトル１００は、それらの側面が対応する各側面支持孔２１ａ，２１ｂ又は２２ａ，２２ｂの側縁と同じく対応する各仕切り片２５ａ，２５ｂ又は２６ａと２６ｂに当接して、左右方向及び前後方向への移動が規制される。
【００２６】
さらに続いて、折り線３０で折り込み片３１を内側に折り込んで指掛け孔３２を形成する一方、折り線１５ａで天面部１６ａを折って、その裏面側を各飲料用ボトル１００の蓋体上面に接合させる。次いで，折り線１５ｂで天面部１６ｂを折って、前記天面部１６ａに折り重ねる。さらに、折り線１７で止め付け部１８を側面支持部１４ａに折り重ねた後、折り線１９を折って係止片２０を前記指掛け孔３２に挿入係止する。これによって、運搬器具１が組み立てられ、各飲料用ボトル１００は、左右方向及び前後方向に加えて上下方向への移動も規制され、前記運搬器具１に安定状態で確実に支持される。
【００２７】
２個の飲料用ボトル１００を支持した運搬器具１は、親指を側面支持部１４ｂの上部に接合させる一方、例えば中指及び薬指を、指掛け孔３２に掛けて、持ち運ぶことができる。そして、運搬器具１に支持された各飲料用ボトル１００は、切り用ミシン目３３，３４を破断して、図４に示すように、指掛け孔３２と各側面支持孔２１ａ，２１ｂを連通状態とし、側面支持部１４ａを大きく開口することによって、この開口部分から容易に取り出すことができる。
【００２８】
なお、本考案は上述した実施形態に限定されるものではなく、例えば、指掛け孔３２は、当初から開口したものでもよく、また、側面支持部１４ａのみならず側面支持部１４ｂにも設けることができる。さらに、支持する飲料用ボトル１００の数は２個に限らず、３個以上でもよい。またさらに、切り用ミシン線３３，３４は必ずしも設ける必要はなく、この場合は係止片２０と指掛け孔３２との係止状態を解除して、運搬容器１の上面を開放し、各飲料用ボトル１００を取り出すことができる。
【符号の説明】
【００２９】
１      運搬器具
１１      紙製シート
１２      底面支持部
１３ａ，１３ｂ，１５ａ，１５ｂ，１７，１９，２３ａ，２３ｂ，２４ａ，２４ｂ，３０      折り線
１４ａ，１４ｂ      側面支持部
１６ａ，１６ｂ      天面部
１８      止め付け部
２０      係止片
２９      切り込み
３１      折り込み片
３２      指掛け孔
１００      飲料用ボトル
【図１】
0003205210.tif 000003
【図２】
0003205210.tif 000004
【図３】
0003205210.tif 000005
【図４】
0003205210.tif 000006